(57)【要約】  本発明は、製品特に個包装製品のグループを収容している改善されたパケットと、このパケット内に製品を保持するように製品に所定の大きさの保持力を及ぼす保持手段と、に関する。本発明の特定の態様によると、この保持手段は、製品をパケットに接着するとともに、パケットの切離し部に配置される永久接着手段の形態であり、これによって、パケット内に製品が正しく保持されるとともに、所定の大きさの力を加えることによって切離し部が切り離されて、製品を取り出すことができる。
2011501719.tif 000002
【特許請求の範囲】
【請求項１】
製品についてのパケットであって、
保持手段を備え、
この保持手段が、該パケット内に製品を保持するための所定の大きさの力を及ぼすことを特徴とするパケット。
【請求項２】
上記製品は、各々の個包装（１１）中に包装されることを特徴とする請求項１または請求項１の前提部に記載のパケット。
【請求項３】
上記保持手段は、個包装（１１）の少なくとも一部をパケット（４０）の少なくとも一部に接着する永久接着手段（８０）であることを特徴とする請求項２に記載のパケット。
【請求項４】
永久接着手段（８０）は、強固な接続を形成することを特徴とする請求項３に記載のパケット。
【請求項５】
少なくとも１つの外箱（４１）を備えることを特徴とする請求項１〜４のいずれかに記載のパケット。
【請求項６】
上記保持手段は、個包装（１１）の少なくとも一部を外箱（４１）の少なくとも一部に接着する永久接着手段（８０）であることを特徴とする請求項５に記載のパケット。
【請求項７】
外箱（４１）は、製品（１０）を少なくとも部分的に収容する複数の面と、製品を取り出すための少なくとも１つの開口面（４２）と、を有することを特徴とする請求項６に記載のパケット。
【請求項８】
外箱（４１）は、該外箱の面の一つに接続されて製品（１０）を取り出すための開口面を閉じるように設計された蓋（４３）を有することを特徴とする請求項７に記載のパケット。
【請求項９】
外箱（４１）は、カード、紙、プラスチック、フォイルまたはこれらの材料の種々の組み合わせから形成されることを特徴とする請求項７および請求項８のいずれかに記載のパケット。
【請求項１０】
互いに接続された２つ以上の外箱（４１）を含むことを特徴とする請求項１〜９のいずれかに記載のパケット。
【請求項１１】
外箱（４１）は、製品（１０）を収容するように設計された一連の複数のキャビティを形成することを特徴とする請求項１〜１０のいずれかに記載のパケット。
【請求項１２】
永久接着手段（８０）は、外箱（４１）の切離し部分（８１）に与えられることを特徴とする請求項１〜１１のいずれかに記載のパケット。
【請求項１３】
外箱（４１）の切離し部分（８１）は、外箱（４１）自体に形成された切取線（８２）を介して外箱（４１）にくっ付いていることを特徴とする請求項１２に記載のパケット。
【請求項１４】
切取線（８２）は、少なくとも部分的に、外箱（４１）を形成している材料中に形成された穴あき線の形態であることを特徴とする請求項１３に記載のパケット。
【請求項１５】
切取線（８２）は、少なくとも部分的に、外箱（４１）を形成している材料中に押圧された非穴あき刻み目線であることを特徴とする請求項１３および請求項１４のいずれかに記載のパケット。
【請求項１６】
切取線（８２）は、所定の大きさの引裂力を要求するように設計されていることを特徴とする請求項１３〜１５のいずれかに記載のパケット。
【請求項１７】
外箱（４１）の切離し部分は、外箱（４１）の一面における端縁の一つから突出したタブ（８１）の形態であることを特徴とする請求項１２〜１６のいずれかに記載のパケット。
【請求項１８】
タブ（８１ａ）があることによって、人が製品に触ることなく該製品を取り出せることを特徴とする請求項１７に記載のパケット。
【請求項１９】
タブ（８１ａ）は、製品の端部から長手方向に突出していることを特徴とする請求項１７および請求項１８のいずれかに記載のパケット。
【請求項２０】
外箱の切離し部分（８１ｂ）は、外箱の面の内側に形成されることを特徴とする請求項１２〜１９のいずれかに記載のパケット。
【請求項２１】
外箱の切離し部分は、ほぼ円形の形状であることを特徴とする請求項１２〜２０のいずれかに記載のパケット。
【請求項２２】
外箱内に配置された少なくとも１つのシート（１１０）を備えることを特徴とする請求項１〜２１のいずれかに記載のパケット。
【請求項２３】
上記保持手段は、個包装（１１）の少なくとも一部をシート（１１０）の少なくとも一部に接着する永久接着手段（８０）であることを特徴とする請求項２２に記載のパケット。
【請求項２４】
永久接着手段（８０）は、シート（１１０）の切離し部分（１３０）に与えられることを特徴とする請求項２３に記載のパケット。
【請求項２５】
シート（１１０）の切離し部分（１３０）は、シート（１１０）に形成された切取線（１３１）を介してシート（１１０）にくっ付いていることを特徴とする請求項２４に記載のパケット。
【請求項２６】
切取線（１３１）は、少なくとも一部は、シート（１１０）を形成している材料中に形成された穴あき線の形態であることを特徴とする請求項２５に記載のパケット。
【請求項２７】
切取線（１３１）は、少なくとも一部は、シート（１１０）を形成している材料中に押圧された非穴あき刻み目線の形態であることを特徴とする請求項２５および請求項２６のいずれかに記載のパケット。
【請求項２８】
切取線（１３１）は、所定の大きさの引裂力を要求するように設計されていることを特徴とする請求項２５〜２７のいずれかに記載のパケット。
【請求項２９】
シート（１１０）と外箱（４１）との間に永久接着手段（１４０）を有することを特徴とする請求項２２〜２８のいずれかに記載のパケット。
【請求項３０】
外箱（４１）内に配置された２つ以上のシート（１１０）の間に永久接着手段（１７０）を有することを特徴とする請求項２２〜２９のいずれかに記載のパケット。
【請求項３１】
上記シートは、個包装製品のグループを部分的に取り囲むように配置されることを特徴とする請求項２２〜３０のいずれかに記載のパケット。
【請求項３２】
上記シートは、個包装製品のグループの少なくとも５つの面を取り囲むことを特徴とする請求項２２〜３１のいずれかに記載のパケット。
【請求項３３】
上記シートは、個包装製品のグループのすべての面を取り囲むことを特徴とする請求項２２〜３１のいずれかに記載のパケット。
【請求項３４】
上記シートは、紙、パラフィン紙、金属フォイル、プラスチックフォイルまたはこれらの材料の種々の組み合わせから形成されることを特徴とする請求項２２〜３３のいずれかい記載のパケット。
【請求項３５】
永久接着手段（８０）は、個包装（１１）の切離し部分（１７０）に与えられることを特徴とする請求項１〜３４のいずれかに記載のパケット。
【請求項３６】
個包装（１１）の切離し部分（１７０）は、個包装（１１）上に形成された切取線（１７１）を介して個包装（１１）にくっ付いていることを特徴とする請求項３５に記載のパケット。
【請求項３７】
切取線（１７１）は、少なくとも一部は、個包装（１１）を形成している材料中に形成された穴あき線の形態であることを特徴とする請求項３６に記載のパケット。
【請求項３８】
切取線（１７１）は、少なくとも一部は、個包装（１１）を形成している材料中に押圧された非穴あき刻み目線の形態であることを特徴とする請求項３６および請求項３７のいずれかに記載のパケット。
【請求項３９】
切取線（１３１）は、所定の大きさの引裂力を要求するように設計されていることを特徴とする請求項３６〜３８のいずれかに記載のパケット。
【請求項４０】
個包装（１１）は、製品の周囲で折り畳まれるシートの形態であることを特徴とする請求項２〜３９のいずれかに記載のパケット。
【請求項４１】
個包装製品を取り出すことによって剥き出される製品の部分（９）の大きさが、指で触ることなく口を使って直接的に個包装の残部（１７０ｂ）から製品自体を引き出すのに十分な大きさとなるように、切取線（１７１）が個包装上に配置されることを特徴とする請求項２〜４０のいずれかに記載のパケット。
【請求項４２】
上記個包装の切取線（１７１）は、剥き出される製品の端縁から少なくとも３ｍｍの位置に配置されていることを特徴とする請求項２〜４１のいずれかに記載のパケット。
【請求項４３】
該パケットから製品を取り出すときに剥き出される製品の部分（９）が少なくとも３ｍｍの長さとなるように、切取線（１７１）が個包装上に配置されることを特徴とする請求項２〜４２のいずれかに記載のパケット。
【請求項４４】
上記個包装上の切取線（１７１）と、剥き出される製品の端縁と、の間の距離が、製品自体の長さの半分よりも長くないことを特徴とする請求項２〜４３のいずれかに記載のパケット。
【請求項４５】
個包装（１１）は、製品の周囲に折り畳まれ、かつシールされたシートの形態であることを特徴とする請求項２〜４４のいずれかに記載のパケット。
【請求項４６】
個包装上の切取線（１７１）は、製品の端縁に最も近いシール線を越えた位置に配置されることを特徴とする請求項２〜４５のいずれかに記載のパケット。
【請求項４７】
個包装（１１）は、紙、パラフィン紙、金属フォイル、プラスチックフォイルまたはこれらの材料の種々の組み合わせから形成されることを特徴とする請求項２〜４６のいずれかに記載のパケット。
【請求項４８】
隣り合わせに配置された製品のグループを収容している請求項１〜４７のいずれかに記載のパケット。
【請求項４９】
重ねられた製品のグループを収容している請求項１〜４８のいずれかに記載のパケット。
【請求項５０】
隣り合わせに配置された製品のグループを２つ以上重ねて収容している請求項１〜４９のいずれかに記載のパケット。
【請求項５１】
重ねられた製品のグループを２つ以上隣り合わせにして収容している請求項１〜５０のいずれかに記載のパケット。
【請求項５２】
製品の個包装（１１）間に、非永久接着手段（２１０）を有することを特徴とする請求項２〜５１のいずれかに記載のパケット。
【請求項５３】
上記非永久接着手段は、個包装製品の少なくとも主要面に与えられることを特徴とする請求項５２に記載のパケット。
【請求項５４】
上記非永久接着手段は、個包装製品の少なくとも側面に与えられることを特徴とする請求項２〜５３のいずれかに記載のパケット。
【請求項５５】
上記非永久接着手段は、個包装製品の少なくとも端面に与えられることを特徴とする請求項２〜５４のいずれかに記載のパケット。
【請求項５６】
上記非永久接着手段は、ロウによって実施されることを特徴とする請求項１〜５５のいずれかに記載のパケット。
【請求項５７】
永久接着手段（８０）は、要求「深さ」まで分離させることができる両面接着剤の形態であることを特徴とする請求項１〜５６のいずれかに記載のパケット。
【請求項５８】
上記永久接着手段は、永久接着剤によって実施されることを特徴とする請求項１〜５７のいずれかに記載のパケット。
【請求項５９】
上記永久接着手段は、コールドグルーによって実施されることを特徴とする請求項５８に記載のパケット。
【請求項６０】
永久接着手段は、ホット・メルト・グルーによって実施されることを特徴とする請求項５８に記載のパケット。
【請求項６１】
上記製品は、食品であることを特徴とする請求項１〜６０のいずれかに記載のパケット。
【請求項６２】
上記製品は、チューインガムであることを特徴とする請求項６１に記載のパケット。
【請求項６３】
上記製品は、チョコレート、ビスケット、ウェハース、クリーム、ナッツ、ドライフルーツ、成形品またはこれらの種々の組み合わせであることを特徴とする請求項６１に記載のパケット。
【請求項６４】
上記製品は、粉末状であることを特徴とする請求項１〜６３のいずれかに記載のパケット。
【請求項６５】
上記製品は、顆粒状であることを特徴とする請求項１〜６３のいずれかに記載のパケット。
【請求項６６】
上記製品は、小片の製品のグループからなることを特徴とする請求項１〜６３のいずれかに記載のパケット。
【請求項６７】
上記小片の製品のすべてが、個包装内で同じ方向に配置されることを特徴とする請求項６６に記載のパケット。
【請求項６８】
上記製品は、コンドームであることを特徴とする請求項１〜６０のいずれかに記載のパケット。
【請求項６９】
上記外箱の周囲をシールする包装を備えることを特徴とする請求項１〜６８のいずれかに記載のパケット。
【請求項７０】
製品を箱詰めする方法であって、
シートに個包装製品を永久的に接着し、
上記シートを外箱内に挿入し、
消費者が切離し部分を引き裂くことによって上記製品を掴んで小出しすることができるように上記外箱の形成を完了すること、
を含む方法。
【請求項７１】
製品を箱詰めする方法であって、
外箱内にシートを挿入し、
上記シートに個包装製品を永久的に接着し、
消費者が切離し部分を引き裂くことによって上記製品を掴んで小出しすることができるように上記外箱の形成を完了すること、
を含む方法。
【請求項７２】
上記シートは、上記外箱に永久的に接着されることを特徴とする請求項７０および請求項７１のいずれかに記載のパケット。
【請求項７３】
製品を箱詰めする方法であって、
個包装製品を外箱に永久的に接着し、
消費者が切離し部分を引き裂くことによって上記製品を掴んで小出しすることができるように外箱の形成を完了すること、
を含む方法。
【請求項７４】
製品を箱詰めする方法であって、
弱くした線つまり切取線を包装材料に形成し、
上記材料内に上記製品を包み、
消費者が切離し部分を引き裂くことによって上記製品を掴んで小出しすることができるように、上記包装材料の一部をパケットの内側に永久的に接着すること、
を含む方法。
【請求項７５】
上記小出しされた製品は、包装材料が除かれて剥き出された部分を有し、これによって、人の口を使って直接的に製品を引き出せることを特徴とする請求項７０〜７４のいずれかに記載の製品を箱詰めする方法。
【請求項７６】
上記製品は、チューインガムのスティックであることを特徴とする請求項７０〜７５のいずれかに記載の製品を箱詰めする方法。
【請求項７７】
請求項７０〜７６のいずれかに記載の方法によって形成される請求項１〜６９のいずれかに記載のパケット。
【発明の詳細な説明】
【技術分野】
【０００１】
本発明は、パケットに関し、詳しくは、食品、菓子、薬品または他の種類の製品の箱詰めに使用されるパケットに関する。
【０００２】
本発明のパケットは、スティック状、棒状あるいは粉末状、小片状などの製品に用いられることが好ましい。
【背景技術】
【０００３】
チューインガムのスティックについてのパケットは、周知のものであり、複数のスティックを収容する厚紙の箱を備える。これらのスティックは、通常は隣り合わせに配置され、一列から１本のスティックを取り出す間に、他のスティックをパケット内に残したままにしておくことができる。これらのスティックは、通常は、主要な包装の中でさらに個別に包装されている。
【０００４】
このパケットは、スティックの何本かが取り出された後にもその形状が保たれる形式のものである。
【０００５】
これによって、パケット内に空の空間がつくり出され、残りのスティックがパケット内で滑って、所定の場所から動いてしまい、たいていは扱いにくい場所へ動くので、消費者が残りのスティックを保持しにくく、次にパケットを開けたときにスティックを落としてしまうこともある。
【０００６】
この問題の解決法は、従来技術において周知のことであるが、主に、パケット内あるいはパケットに収められる中間の包装内にスティックを非永久的に保持させるように接着剤を塗布することからなる。この解決法は、ロウなどの非永久的接着剤が製品に摩擦を与えるという原理に基づいている。
【０００７】
しかし、この解決法は、製品を取り出すのに要求される力の大きさと、製品をパケット内に保持しておくために要求される力の大きさと、の間で折り合いをつける必要がある。つまり、接着剤の量が過剰である場合、製品は正しく保持されるが、取り出しにくくなる。接着剤が不十分である場合、隣の製品が取り出された後に、残りの製品が動いてしまう。
【０００８】
他の従来技術の解決法は、パケット内における摩擦力拘束手段からなり、この手段は、製品を保持するのに適度な力を与え、これによって、製品を容易に取り出すことができるとともに、隣の製品が除かれたときにも残りの製品が動かないようにすることができる。
【発明の概要】
【発明が解決しようとする課題】
【０００９】
しかし、これらの解決法では、パケットの生産コストが著しく増えてしまうだけでなく、高い生産速度を達成することが難しい。
【００１０】
さらに、これらの解決法には固有の欠点があり、それは、摩擦の作用を利用する場合、使用される材料、温度および不規則な形状によって摩擦力の大きさが変化してしまうので、製品を取り出すのに必要な力の大きさを較正することができないということである。
【課題を解決するための手段】
【００１１】
従って、本発明は、個別の包装に包まれた製品についてのパケットであって、該パケット内に製品を保持するとともに所定の大きさの力を及ぼす手段を備えるパケットを提供する。
【００１２】
この手段は、少なくとも１つの個包装をパケットの少なくとも一部に接着する永久接着手段によって実施することができる。そのような接着手段は、所定の様式で個包装またはパケットから切り離すことができる部分に配置される。
【００１３】
こうして得られるパケットによって、生産の複雑性やコストを著しく増やすことなく、パケットから製品を分離させるための所定の大きさの力が保証される。
【図面の簡単な説明】
【００１４】
【図１】第１の包装様式によって包装された製品を示す図。
【図２】第２の包装様式によって包装された製品を示す図。
【図３】第３の包装様式によって包装された製品を示す図。
【図４】第１の形態の外箱内における製品のグループを示す図。
【図５】第２の形態の外箱内における製品のグループを示す図。
【図６】第１の形態の複数の外箱内における製品のグループを示す図。
【図７】外箱の切離し部分の第１の実施例。
【図８】外箱の切離し部分の第２の実施例。
【図９】外箱の切離し部分の第３の実施例。
【図１０】製品の周囲を包装しているシートの第１の実施例を示す図。
【図１１】製品の周囲を包装しているシートの第２の実施例を示す図。
【図１２】シートの切離し部分の第１の実施例を示す図。
【図１３】シートの切離し部分の第２の実施例を示す図。
【図１４】シートの切離し部分の第３の実施例を示す図。
【図１５】個包装製品、１枚のシートおよび１つの外箱からなるパケットの第１の実施例の断面図。
【図１６】個包装製品のグループが２つ重ねられたもの、２枚のシートおよび１つの外箱からなるパケットの第２の実施例の断面図。
【図１７】個包装の切離し部分の第１の実施例を示す図。
【図１８】図１７の実施例で、パケットから製品が１個取り出されたときを示す図。
【図１９】個包装の切離し部分の第２の実施例を示す図。
【図２０】個包装の切離し部分の第３の実施例を示す図。
【図２１】個包装製品のグループが重ねられたシリーズ、１枚のシートおよび外箱からなるパケットの実施例の断面図。
【発明を実施するための形態】
【００１５】
図１および図２は、２種類の製品包装様式（１０，１０ａ）を示し、この個包装（１１）は、製品の周囲で折り畳まれるシートから形成される。この形式の包装様式の他の例については、当業者には周知であり、本発明とは無関係なので図示していない。
【００１６】
図３は、第３の製品包装様式（１０ｂ）を示し、この個包装（１１）は、製品の周囲で折り畳まれ、かつシールされるシートから形成される。この形式の包装様式の他の例については、当業者には周知であり、本発明とは無関係なので図示していない。
【００１７】
個包装は、紙、パラフィン紙、金属フォイル、プラスチックフォイルまたはこれらの材料の種々の組み合わせから形成することができる。
【００１８】
図４および図５は、パケットの外側部分を構成し得る外箱（４１）の２つの例を示す。
【００１９】
外箱は、製品の少なくとも一部を収容するように設計されており、第１の好ましい実施例においては、外箱の後方面に永久接着手段（８０）が与えられ、この永久接着手段（８０）によって、製品（１０）が所定の位置に保持される。
【００２０】
図４に示す第２の好ましい実施例においては、外箱は、製品を取り囲む５つの面と、製品を取り出すことができる開口面（４２）と、からなる。
【００２１】
１〜６面のいずれかの数の面を有する他の形態の外箱を採用することも考えられる。製品を取り出さないときにパケット内で製品を完全に保護することができるように、パケットは、開口面を閉じる蓋（４３）を有する。
【００２２】
蓋の形態および閉じる動作は、さまざまな様式で実施することができるが、本発明の作用とは無関係であるので、図示していない。
【００２３】
図６は、互いに繋げられた２つ以上の外箱（４１）を含んでなる第３の好ましい実施例のパケット（６０）を示す。
【００２４】
この種類のパケットについては、当業者には周知であり、本発明の目的とは無関係であるので、詳しく説明していない。
【００２５】
外箱は、カード、紙、プラスチック、フォイル、およびこれらの材料あるいは同等な材料の種々の組み合わせから形成することができる。
【００２６】
図７は、外箱（４１）の切離し部分（８１）に永久接着手段（８０）が与えられているパケットを示す。この実施例においては、外箱の切離し部分（８１）は、外箱（４１）自体に形成された切取線（８２）を介して、該外箱にくっ付いている。切取線（８２）は、少なくとも一部は、外箱（４１）を形成している材料中に形成された穴あき線の形態である。
【００２７】
あるいは、切取線は、外箱（４１）を形成している材料中に押圧された非穴あき刻み目線としてもよい。
【００２８】
切取線（８２）は、所定の大きさの引裂力を要求するように設計されている。切取線の長さ、深さおよび方向を変えることによって、製品を取り出すために引き裂くのに必要な力の大きさを予め決めることができる。
【００２９】
特定の一実施例においては、外箱の切離し部分は、タブ（８１）の形態であって、このタブ（８１）は、外箱の一つの面における端縁の一つから突出している。タブは、種々の形状とすることができ、特には、ほぼ円形の形状とすることができる。
【００３０】
図８に示す第２の実施例においては、タブ（８１ａ）は、製品の端部から長手方向に突出しており、これによって、人が製品に触ることなく、製品を取り出すことができる。
【００３１】
図９に示す第３の実施例においては、外箱の切離し部分（８１ｂ）は、外箱の一つの面の内側面に設けられる。
【００３２】
また、パケットの他の好ましい実施例においては、外箱の内側にシートが配置される。
【００３３】
シート（１１０）は、第１の好ましい実施例においては、製品（１０）を支持するように設計されており、このシートの後方面に、製品（１０）を所定の位置に保持するための永久接着手段（８０）が与えられる。
【００３４】
図１０に示す第２の好ましい実施例においては、シートは、製品の５つの面を取り囲むポケット状の形状につくられている。
【００３５】
図１１に示す第３の好ましい実施例においては、シートは、製品の４つの面を取り囲むポケット状の形状に作られている。
【００３６】
他の好ましい実施例については図示していないが、個包装製品の２面あるいは３面を取り囲むようにシートを配置してもよい。
【００３７】
また、図１３に示す他の好ましい実施例においては、シートは、個包装製品を完全に取り囲む。
【００３８】
シート（１１０）は、紙、パラフィン紙、金属フォイル、プラスチックフォイルまたはこれらの材料の種々の組み合わせから形成することができる。
【００３９】
図１２に示すパケットにおいては、シート（１１０）の一端縁に沿って配置されたシート（１１０）の切離し部分（１３０）に、永久接着手段（８０）が与えられている。
【００４０】
図１３を参照すると、シートは、個包装製品のすべての面を取り囲み、シートの切離し部分は、シートの幾つかの隣接する面（この具体例では、上面、一つの側面および底面）に亘って延びている。
【００４１】
特定の一実施例においては、シートの切離し部分（１３０）は、シートに形成された切取線（１３１）を介して該シートにくっ付いている。しかし、他の解決法も可能であり、例えば、シートの一部を所望の「深さ」まで分離させるという方法があり、これは、複数層の材料からフォイル層の一部を離すことに相当する。
【００４２】
切取線（１３１）は、少なくとも部分的に、シート（１１０）を形成している材料中に形成された穴あき線の形態である。
【００４３】
他の実施例においては、切取線は、シート（１１０）を形成している材料中に押圧された非穴あき刻み目線の形態とすることができる。
【００４４】
切取線は、所定の大きさの引裂力を要求するように設計されている。切取線の長さ、深さおよび方向を変えることによって、製品を取り出すために切取線を引き裂くのに必要な力の大きさを予め決めることができる。
【００４５】
図１５の断面図に示すパケットの他の好ましい実施例においては、シート（１１０）と外箱（４１）との間に、永久接着手段（１４０）が与えられている。この手段によって、個包装製品が取り出されている間にも、シートは外箱内にしっかりと保持されている。
【００４６】
この実施例での特定の一形態においては、永久接着手段は、永久両面接着性フォイル支持体の形態であり、間に挟まれた分離可能な支持体がシート（１１０）を構成するとともに、パケットに面している接着面が永久接着手段（１４０）を構成し、製品包装に面している接着面が永久接着手段（８０）を構成している。
【００４７】
図１６の断面図に示すパケットのさらなる好ましい実施例においては、対応するシート内に封入された個包装製品のグループが２つ重ねられ、外箱（４１）内に配置されたシート（１１０）間に永久接着手段（１７０）が与えられる。この手段は、２層よりも多くの層とした場合にも、各シートをしっかりと保持することができるが、外箱と接していない中央の製品グループのシートを固定することはできない。
【００４８】
図１８，１９，２０，２１に示すパケットの他の特定の実施例においては、永久接着手段は、個包装（１１）の切離し部分（１７０）に与えられる。個包装の切離し部分（１７０）は、個包装自体に形成された切取線（１７１）を介して、該個包装にくっ付いている。切取線（１７１）は、個包装（１１）を形成している材料中に形成された穴あき線の形態にすることができる。
【００４９】
切取線は、また、個包装（１１）を形成している材料中に押圧された非穴あき刻み目線の形態としてもよい。
【００５０】
切取線は、所定の大きさの引裂力を要求するように設計されている。切取線の長さ、深さおよび方向を変えることによって、製品を取り出すために切取線を引き裂くのに必要な力の大きさを予め決めることができる。
【００５１】
図２０に示す特定の一実施例においては、シール線を越えた位置に切取線（１７１）が位置することによって、切り取った後も個包装（１１）の状態が全体的に残っているように、切取線（１７１）が個包装上に配置される。
【００５２】
図１８に示す第２の実施例においては、個包装製品を取り出すことによって剥き出される製品の部分（９）の大きさが、指で触ることなく口を使って直接的に個包装の残部（１１ｂ）から製品自体を引き出すのに十分な大きさとなるように、切取線（１７１）が個包装上に配置される。
【００５３】
これを簡単に行うためには、切取線と、剥き出される製品の端部との間の距離が３ｍｍよりも長いことが必要であり、すなわちパケットから製品を取り出したときに剥き出される製品の部分（９）は、少なくとも３ｍｍの長さがなければならない。
【００５４】
製品がチューインガムのスティックである場合、パケットから分離した個包装の一部を使って、噛み終わったチューインガムを捨てることができるように、切取線と、製品の縁端との間の距離が、製品自体の長さの半分よりも長くてはいけない。すなわち、パケットから製品を取り出したときに剥き出される製品の部分（９）は、製品自体の長さの半分よりも短くなければいけない。
【００５５】
また、図２１の断面図に示すパケットのさらなる実施例においては、パケットは、重ねられた製品のグループを収容する。製品のグループをパケット内に正しく保持するために、最後の個包装（１１）とシート（１１０）との間には永久接着手段（８０）が与えられ、単一の製品を包んでいる各個包装（１１）の間には非永久接着手段が与えられる。
【００５６】
これらの接着手段は、２つの主要面の少なくとも一方つまり包装製品の２つの大きな面の１つ、側面あるいは端面に与えることができる。
【００５７】
他の特定のパケットの構成によると、パケット内の製品は、図１６に示すように２つ以上の重ねたグループ内で隣り合わせにしてもよいし、あるいは、図５に示すように、製品自体を重ねて、重ねられた製品からなるグループを２つ以上隣り合わせにしてもよい。
【００５８】
これまで説明した実施例のすべてにおいて、永久接着手段は、永久的接着剤または他の永久的な機械的固着システムによって実施することができる。
【００５９】
接着剤としては、ホット・メルト・グルー、コールドグルーおよびコンタクトグルー（接触糊）を使用することができる。
【００６０】
一般に、接着手段は、製品が接着されている面の一部を引き裂くのに必要な力よりも製品を剥がすのに必要とする力の方が大きいときに、永久的であるとみなすことができる。
【００６１】
非永久接着手段は、ロウないし着脱可能接着剤によって実施することができる。
【００６２】
本発明の箱詰め原理は、多様な製品、例えば、チューインガム、板チョコ、ビスケットまたはスナックなどの食品に適用することができる。
【００６３】
本発明によって箱詰めできる製品としては、さらには、顆粒状ないし粉末状の製品があり、また、バラバラの状態のものであっても同じ方向に並べたものであっても良い。そのような製品としては、砂糖、紅茶、タバコおよびコーヒー製品がある。
【００６４】
さらに、そのような製品としては、医薬、医薬部外品、栄養剤などがある。そのようなものとしては、アスピリン、コンドーム、ビタミン剤などがある。
【００６５】
本発明のパケットを形成する方法は、第１の好ましい方法によると、シートに個包装製品を永久的に接着し、このシートを外箱中に挿入し、消費者が切離し部分（シートの部分あるいは個包装の部分のいずれとしてもよい）を引き裂くことによって製品を掴んで小出しすることができるように外箱の形成を完了することを含む。
【００６６】
第２の好ましい方法によると、外箱にシートを挿入し、このシートに個包装製品を永久的に接着し、消費者が切離し部分（シートの部分あるいは個包装の部分のいずれとしてもよい）を引き裂くことによって製品を掴んで小出しすることができるように外箱の形成を完了することを含む。
【００６７】
本発明のパケットを形成する方法は、第３の好ましい方法によると、外箱に個包装製品を永久的に接着し、消費者が切離し部分（シートの部分あるいは個包装の部分のいずれとしてもよい）を引き裂くことによって製品を掴んで小出しすることができるように外箱の形成を完了することを含む。
【００６８】
第４の好ましい方法によると、弱くした線つまり切取線を包装材料中に形成し、この材料で包装した製品および該包装材料の一部をパケット内に永久的に接着することを含む。
【００６９】
本発明は、以上のように、パケットまたは製品包装の一部分を介して保持力を与え、この部分を、ユーザが必要に応じて引き裂くようにしたことで、製品を簡単に箱詰めできるとともに、隣の製品が取り出された後でも、残りの製品を、使用される瞬間まで適切に保持することができるパケットを提供する。
【００７０】
さらには、本発明のパケットのすべての実施例は、機械で容易に製造することができ、実現可能性および生産コストの点で明らかに利点がある。
【００７１】
図示したパケットは、説明するためのものであり、本発明の範囲を限定するものではない。
【００７２】
本発明の教示および当技術分野の現在の状況に基づいていくつかの変形および発展がなされ得るが、その場合にも本発明の範囲内にあると考えられる。
【図１】
2011501719.tif 000003
【図２】
2011501719.tif 000004
【図３】
2011501719.tif 000005
【図４】
2011501719.tif 000006
【図５】
2011501719.tif 000007
【図６】
2011501719.tif 000008
【図７】
2011501719.tif 000009
【図８】
2011501719.tif 000010
【図９】
2011501719.tif 000011
【図１０】
2011501719.tif 000012
【図１１】
2011501719.tif 000013
【図１２】
2011501719.tif 000014
【図１３】
2011501719.tif 000015
【図１４】
2011501719.tif 000016
【図１５】
2011501719.tif 000017
【図１６】
2011501719.tif 000018
【図１７】
2011501719.tif 000019
【図１８】
2011501719.tif 000020
【図１９】
2011501719.tif 000021
【図２０】
2011501719.tif 000022
【図２１】
2011501719.tif 000023
【国際調査報告】
2011501719.tif 000024
2011501719.tif 000025
2011501719.tif 000026